(57)【要約】【課題】インビジブルタイプのエアバッグ装置が設置されるインストルメントパネルにおいて、このエアバッグ装置の加工条件の影響や周囲構造物のレイアウトの影響を受けることなく、収納ボックスの大きな容量を確保しつつ、より品質が高く、かつ利便性に優れたインストルメントパネルの収納部構造を提供することにある。【解決手段】インストルメントパネル１の内部にインビジブルタイプのエアバッグ装置２を設置する一方、エアバッグ装置２と隣接する位置のインストルメントパネル１の上面に収納部を設けたインストルメントパネルの収納部構造において、当該収納部を、インストルメントパネル１とは別体に形成された収納ボックス３によって構成している。【選択図】図４
2009067116.tif 000002
【特許請求の範囲】
【請求項１】
インストルメントパネルの内部にインビジブルタイプのエアバッグ装置を設置する一方、該エアバッグ装置と隣接する位置の前記インストルメントパネルの上面に収納部を設けたインストルメントパネルの収納部構造において、前記収納部を、前記インストルメントパネルとは別体に形成された収納ボックスによって構成したことを特徴とするインストルメントパネルの収納部構造。
【請求項２】
前記収納ボックスは、前記インストルメントパネルの内部に向かって突出して配置される袋状に形成されていることを特徴とする請求項１に記載のインストルメントパネルの収納部構造。
【請求項３】
前記収納ボックスは、前記インストルメントパネルに取外し可能に取付けられていることを特徴とする請求項１または２に記載のインストルメントパネルの収納部構造。
【請求項４】
前記収納ボックスの開口部は、これを覆う回動可能な蓋体によって開閉自在に構成され、前記蓋体のヒンジ機構は、前記エアバッグ装置のティアラインの下方に配置されていることを特徴とする請求項１〜３のいずれかに記載のインストルメントパネルの収納部構造。
【発明の詳細な説明】
【技術分野】
【０００１】
本発明は、インビジブルタイプのエアバッグ装置の付近に小物等の収納部を設けたインストルメントパネルの収納部構造に関する。
【背景技術】
【０００２】
近年、大型の部品である自動車のインストルメントパネルでは、内部の空きスペースに小物等を入れる収納部を設けることが多く見られるが、インストルメントパネルの助手席側においては、設置される助手席用エアバッグ装置、空調用ユニット、グローブボックスなどの主要な構造物のレイアウト上の制限から、これら構造物の容量の確保が困難である。
【０００３】
一方、インストルメントパネルの助手席側に設けられるエアバッグ装置として、最近、特許文献１に開示されているように、インストルメントパネルの表面においてエアバッグ装置のリッドの外周が目立たないようにすることで、外観品質の向上を図ったインビジブルタイプのものが採用されてきている。このタイプのエアバッグ装置では、特許文献２に開示されているように、インストルメントパネルの意匠面の裏面側に後加工によりレーザーやカッター等で溝（ティアライン）を形成することにより、エアバッグの展開時に、この溝部が破断してリッドとなり、エアバッグを車室内に展開させている。
また、特許文献３に開示されているように、インビジブルタイプのエアバッグ装置に隣接した位置のインストルメントパネルには、ボックス形状の収納部が設けられている。
【特許文献１】特開２００２−３４７５５５号公報
【特許文献２】特開２００３−２１２０７５号公報
【特許文献３】特開平１０−５９１１１号公報
【発明の開示】
【発明が解決しようとする課題】
【０００４】
しかしながら、上述したインビジブルタイプのエアバッグ装置にあっては、従来のように、別部品のエアバッグ装置をインストルメントパネルに装着する方法と異なり、インストルメントパネル自体にエアバッグ装置としての機能を持たせる必要があるために、その加工条件によって収納部の容量の確保が困難になり易いという問題を有している。すなわち、インビジブルタイプのエアバッグ装置に隣接した位置にボックス形状の収納部を設けた場合は、インストルメントパネルの内部に収納部が突出することになるので、エアバッグ装置のティアライン加工を行う時や、エアバッグ装置本体のケースであるチャンネルを振動溶着等によってインストルメントパネルの裏面に固定する作業を行う時などに、当該収納部が工具や治具の挿入の邪魔となるおそれがあった。そのため、これら加工スペース及び作業スペースを確保する必要から、収納部の容量を小さくしなければならなかった。
また、上記の収納部内にペットボトルなどの飲料水を収納した場合、飲料水が収納部内でこぼれて、その液体が収納部から漏れ出すことによる空調用ブロアユニット等の周辺の他部品に対する影響や、当該収納部内の汚れに対する対策も、インストルメントパネルの収納部構造を検討する上で重要な項目となっている。
【０００５】
本発明はこのような実状に鑑みてなされたものであって、その目的は、インビジブルタイプのエアバッグ装置が設置されるインストルメントパネルにおいて、このエアバッグ装置の加工条件の影響や周囲構造物のレイアウトの影響を受けることなく、収納ボックスの大きな容量を確保しつつ、より品質が高く、かつ利便性に優れたインストルメントパネルの収納部構造を提供することにある。
【課題を解決するための手段】
【０００６】
上記従来技術の有する課題を解決するために、本発明は、インストルメントパネルの内部にインビジブルタイプのエアバッグ装置を設置する一方、該エアバッグ装置と隣接する位置の前記インストルメントパネルの上面に収納部を設けたインストルメントパネルの収納部構造において、前記収納部を、前記インストルメントパネルとは別体に形成された収納ボックスによって構成している。
【０００７】
また、本発明において、前記収納ボックスは、前記インストルメントパネルの内部に向かって突出して配置される袋状に形成されている。
【０００８】
さらに、本発明において、前記収納ボックスは、前記インストルメントパネルに取外し可能に取付けられている。
【０００９】
そして、本発明において、前記収納ボックスの開口部は、これを覆う回動可能な蓋体によって開閉自在に構成され、前記蓋体のヒンジ機構は、前記エアバッグ装置のティアラインの下方に配置されている。
【発明の効果】
【００１０】
上述の如く、本発明に係るインストルメントパネルの収納部構造は、インストルメントパネルの内部にインビジブルタイプのエアバッグ装置を設置する一方、該エアバッグ装置と隣接する位置の前記インストルメントパネルの上面に収納部を設けたものであって、前記収納部を、前記インストルメントパネルとは別体に形成された収納ボックスによって構成しているので、インビジブルタイプのエアバッグ装置の加工条件の影響や周囲構造物のレイアウトの影響を受けることなく、大きな容量の収納ボックスを設けることができ、利便性に優れている。
【００１１】
また、本発明によれば、前記収納ボックスは、前記インストルメントパネルの内部に向かって突出して配置される袋状に形成されているので、収納ボックス内に収納したペットボトルなどの飲料水がこぼれても収納ボックス内でとどめておくことができ、上向きの開口部を有する空調用ブロアユニットやグローブボックスが収納ボックスの下方に配置されている場合でも、収納ボックス内の液体の漏れ出しによってブロアユニットやグローブボックスなどの他部品に悪影響を及ぼすおそれがない。
【００１２】
さらに、本発明によれば、前記収納ボックスは、前記インストルメントパネルに取外し可能に取付けられているので、収納ボックスが日常使用で汚れた時に、インストルメントパネルから取出して収納ボックス単体で丸洗いすることができ、ペットボトルなどを入れる収納ボックスを清潔に保つことができる。
【００１３】
また、本発明によれば、前記収納ボックスの開口部は、これを覆う回動可能な蓋体によって開閉自在に構成され、前記蓋体のヒンジ機構は、前記エアバッグ装置のティアラインの下方に配置されているので、インストルメントパネルへのティアライン加工が終了した後に、加工治具のスペースを利用して蓋体のヒンジ機構を配置することができる。したがって、本発明の収納部構造によれば、インストルメントパネルに取付ける収納ボックスの容量を最大限に確保することができる。
【発明を実施するための最良の形態】
【００１４】
以下、本発明を図示の実施の形態に基づいて詳細に説明する。
図１は本発明の実施形態の収納部構造が適用される自動車のインストルメントパネルの全体斜視図、図２は上記実施形態のインストルメントパネルと主要部品との位置関係を示す分解斜視図、図３は図２をさらに拡大して示す斜視図、図４はインストルメントパネルに収納ボックスを取付けた状態を示す断面図である。
【００１５】
図１に示すようなインストルメントパネル１は、自動車の車室内の前方側に配設される大型の樹脂部品であり、各種の機能部品等が取付けられるインストルメントパネル本体１ａを備えている。インストルメントパネル１の助手席側の内部には、図２〜図３に示すように、各種の機能部品のうちで、インビジブルタイプのエアバッグ装置２が設置されている。このインビジブルタイプのエアバッグ装置２は、後述のエアバッグが展開する際の開口部をより見え難くする構造を採用しており、インストルメントパネル本体１ａ自体にエアバッグ装置としての機能を持たせた構造となっている。このため、エアバッグ装置２の設置箇所と対応するインストルメントパネル本体１ａの意匠面の裏面側には、レーザーなどの後加工によってティアライン１０が形成されており、後述のエアバッグが展開する際に、ティアライン１０の部分が破断して当該エアバッグを車室内に展開できるように構成されている。
【００１６】
上記エアバッグ装置２は、設置された状態で装置の上部側に位置してインストルメントパネル本体１ａの裏面側に接着されるエアバッグチャンネル２１と、箱状のエアバッグケース２２と、該エアバッグケース２２の底部に固定され、上部がケース内に配置されるインフレータ２３と、エアバッグケース２２内においてインフレータ２３の外周部に折り畳み状態で配置される袋体のエアバッグ２４とを備えることによって構成されている。
エアバッグチャンネル２１は、上部外周にフランジ部２１ａを有する箱状体であり、上下方向に延在する縦壁部２１ｂの中間位置には、係合孔２５が穿設されている。エアバッグケース２２の上端外側面には、先端部を下方へ向けて折り曲げた係合爪２６が取付けられており、エアバッグケース２２は、当該係合爪２６を係合孔２５に引っ掛けて係合させることによって、エアバッグチャンネル２１に取付けられるようになっている。
なお、インストルメントパネル１の内部には、インストルメントパネル本体１ａへのティアライン１０の加工や、インストルメントパネル本体１ａとエアバッグチャンネル２１とを振動溶着等にて接着する際に用いられる固定治具２７の設置スペースが設けられている。
【００１７】
一方、上記エアバッグ装置２と隣接する位置のインストルメントパネル本体１ａの上面には、ペットボトルなどの小物等を入れる収納部が設けられている。この収納部は、図２〜図４に示すように、インストルメントパネル１のインストルメントパネル本体１ａとは別体に形成された収納ボックス３によって構成されている。そのため、インストルメントパネル本体１ａの上面には、収納ボックス３を挿入配置する開口部１１が設けられている。したがって、インストルメントパネル１の助手席側において、収納ボックス３の車両前方にエアバッグ装置２が近接して設置されていることになる。
【００１８】
上記収納ボックス３は、インストルメントパネル１の内部に向かって突出して配置される袋状に形成されており、上部には、収納対象の小物等を出し入れする開口部３１が設けられている。この開口部３１の外周には、外方へ向かって張り出したフランジ３ａが形成され、該フランジ３ａをインストルメントパネル本体１ａの開口部１１の周縁に載せて係合させることにより、インストルメントパネル本体１ａに取外し可能に取付けられている。収納ボックス３の下方には、図４に示すように、上向き開口を有する空調用ブロアユニット４やグローブボックス５が配置されており、収納ボックス３は、下方のグローブボックス５に対してアッパーボックスと言われている。
【００１９】
収納ボックス３の開口部３１は、図１〜図４に示すように、これを覆う回動可能な蓋体（アッパーリッド）３２によって開閉自在に構成されている。このため、蓋体３２は、収納ボックス３の開口部３１を覆うことができる大きさを有し、表面がインストルメントパネル本体１ａの意匠表面に沿った形状に形成されており、取付けられた状態では、インストルメントパネル本体１ａの表面と面一になるように配置されている。
また、蓋体３２は、図３及び図４に示すようなヒンジ機構３３を備えている。このヒンジ機構３３は、蓋体３２側に設けられる左右一対のアッパーアーム３４と、収納ボックス３を取り囲むようにインストルメントパネル本体１ａ側に設けられるロアーアーム３５とをヒンジピン３６によって回動可能に連結することによって構成されている。しかも、ヒンジ機構３３は、エアバッグ装置２のティアライン１０の下方であって、エアバッグ装置２と収納ボックス３との間に配置されている。
【００２０】
本発明の実施形態の収納部構造を得るには、まず、インストルメントパネル１の内部の設置スペースに固定治具２７を設置し、レーザービーム発生機能やミリング（切削）刃または熱刃などによりティアライン加工を施すことが可能な図示しないティアライン加工装置をインストルメントパネル本体１ａの裏面側の所定箇所に当てることによりティアライン加工を行ってティアライン１０を形成するとともに、図示しない接着手段によってインストルメントパネル本体１ａの裏面とエアバッグチャンネル２１のフランジ部２１ａとを振動溶着等にて接着する。しかる後、固定治具２７を取り除く。
そして、エアバッグチャンネル２１の縦壁部２１ｂの係合孔２５に、インフレータ２３及びエアバッグ２４を設置したエアバッグケース２２の係合爪２６を引っ掛けて係合させることによって、エアバッグケース２２をエアバッグチャンネル２１に取付ければ、インビジブルタイプのエアバッグ装置２がインストルメントパネル１の助手席側の内部に設置されることになる。
【００２１】
次いで、図３に示すように、蓋体３２のアッパーアーム３４をヒンジピン３６によりヒンジ機構３３のロアーアーム３５に予め連結し、この蓋体３２と一体となったヒンジ機構３３を固定治具２７の空きスペースに配置してインストルメントパネル本体１ａに取付ける。その後、収納ボックス３を持って開口部１１に挿入し、フランジ３ａを開口部１１の周縁に載せて係合させれば、収納ボックス３はインストルメントパネル本体１ａに取外し可能に取付けられることになる（図４参照）。
【００２２】
このように、本発明の実施形態の収納部構造においては、インストルメントパネル１のインストルメントパネル本体１ａとは別体に形成した収納ボックス３によって、インストルメントパネル本体１ａの上面に設ける収納部が構成されているため、固定治具２７等を用いるインビジブルタイプのエアバッグ装置２の加工条件による制限を受けることがなくなり、大きな容量の収納ボックス３を設けることが可能となり、インストルメントパネル本体１ａの上面に大きな収納容量を確保することができる。しかも、蓋体３２のヒンジ機構３３は、固定治具２７を取り除いた時に空きスペースとなるエアバッグ装置２のティアライン１０の下方であって、エアバッグ装置２と収納ボックス３との間に配置されているため、より多くの収納容量を有する収納ボックス３を設置することができる。
また、本発明の実施形態の収納部構造においては、収納ボックス３が袋状に形成されているため、ペットボトルなどの液体の容器を収納ボックス３に収納した際に、容器内の液体がこぼれて落ち、収納ボックス３の隙間から下方の空調用ブロアユニット４やグローブボックス５などに漏れ出してしまうようなことが起こらない。したがって、収納ボックス３の下方に上面が開口した空調用ブロアユニット４やグローブボックス５などを安心して配置することが可能となり、周辺部品のレイアウトの自由度を向上させることができる。
さらに、本発明の実施形態の収納ボックス３は、インストルメントパネル本体１ａに取外し可能な構造となっているため、上記のような収納ボックス３内で液体がこぼれるなどの日常使用の汚れに対して、収納ボックス３のみを単体でインストルメントパネル本体１ａから取出して丸洗いすることができる。
【００２３】
以上、本発明の実施の形態につき述べたが、本発明は既述の実施の形態に限定されるものではなく、本発明の技術的思想に基づいて各種の変形及び変更が可能である。
例えば、既述の実施の形態では、収納ボックス３がインストルメントパネル本体１ａと完全に別体に形成されているが、エアバッグ装置２と隣接する側の壁部のみが別体に形成されていても良い。
【図面の簡単な説明】
【００２４】
【図１】本発明の実施形態の収納部構造が適用される自動車のインストルメントパネルを示す全体斜視図である。
【図２】上記実施形態のインストルメントパネルと主要部品との位置関係を示す分解斜視図である。
【図３】上記実施形態のインストルメントパネルと主要部品との位置関係をさらに拡大して示す斜視図である。
【図４】上記実施形態のインストルメントパネルに収納ボックスを取付けた状態を示す断面図である。
【符号の説明】
【００２５】
１  インストルメントパネル
１ａ  インストルメントパネル本体
２  インビジブルタイプのエアバッグ装置
３  収納ボックス
１０  ティアライン
１１  インストルメントパネル本体の開口部
２１  エアバッグチャンネル
２１ａ  フランジ部
２１ｂ  縦壁部
２２  エアバッグケース
２５  係合孔
２６  係合爪
２７  固定治具
３１  開口部
３２  蓋体
３３  ヒンジ機構
【図１】
2009067116.tif 000003
【図２】
2009067116.tif 000004
【図３】
2009067116.tif 000005
【図４】
2009067116.tif 000006